(57)【要約】【課題】安価に製造できるマスク係止具付きキャップを提供する。【解決手段】着用者の目より上の頭部と両耳を覆うキャップであって、両耳の位置又は両耳の位置より後頭部側にマスクのひも部分を掛ける複数のヒダを有するマスク係止具、又はマスクのひも部分を掛ける３つ以上の凸部を有する形状をなしているマスク係止具を備える。マスク係止具は構造が簡単であり、キャップと同様の材質によって構成できる。このため、より少ない工数によって安価に製造でき、使用後はウエスとしてそのまま使用することが可能である。【選択図】図１
0003134527.tif 000002
【実用新案登録請求の範囲】
【請求項１】
着用者の目より上の頭部と両耳を覆うキャップであって、
両耳の位置又は両耳の位置から後頭部側に向かって配置され、
前記キャップと同質の材質によって形成されたマスクのひも部分を掛ける複数のヒダを有するマスク係止具を備えるマスク係止具付きキャップ。
【請求項２】
着用者の目より上の頭部と両耳を覆うキャップであって、
両耳の位置又は両耳の位置より後頭部側に設けられ、
マスクのひも部分を掛ける３つ以上の凸部を有し、
前記凸部のうち少なくとも一つが上方向に設けられ、
前記凸部のうち少なくとも一つが下方向に設けられている形状をなし、
前記キャップと同質の材質によって形成された、
マスク係止具を備えるマスク係止具付きキャップ。
【請求項３】
着用者の目より上の頭部と両耳を覆うキャップであって、
マスクのひも部分を掛ける２つ以上の突起部を有し、
前記突起部のうち少なくとも一つが上方向に設けられ、前記突起部のうち少なくとも一つが下方向に設けられている形状をなし、
前記キャップと同質の材質によって形成されたマスク係止具を、
両耳の位置又は両耳の位置から後頭部側に向かって複数備えるマスク係止具付きキャップ。
【考案の詳細な説明】
【技術分野】
【０００１】
本考案は、防塵用キャップ及びヘルメットの下に着用する汗取りキャップなどのうち、マスク係止具を備えるマスク係止具付きキャップに関する。
【背景技術】
【０００２】
食品、化学薬品、半導体部品などを扱う者が着用する防塵キャップ、あるいはヘルメットの下に着用する汗取り用のキャップが開発され、市販されている。
【０００３】
しかし、これらのキャップのうち耳まで覆うものは、マスクを着用したり取り外したりする再にキャップを一度はずしたりキャップの下に手を入れなければならず、マスクの着脱に手間がかかるという問題点があった。
【０００４】
この点に関し、前後方向に調節可能なマスク係止具を設けたキャップが提案されている（例えば、特許文献１）。
【特許文献１】特許第３６２３４４４号公報
【考案の開示】
【考案が解決しようとする課題】
【０００５】
しかし、特許文献１に記載のキャップにおいては、製造工程が多く製造コストがかかるだけでなく、ボタンなどの硬い部品を使用するために、使用済みのキャップをそのままウエスとして使用できないという問題点があった。
【０００６】
本考案は上記のような問題点に鑑みてなされたものであり、安価に製造できるマスク係止具付きキャップを提供することを目的とする。
【課題を解決するための手段】
【０００７】
この目的を達成するために本考案は、着用者の目より上の頭部と両耳を覆うキャップであって、両耳の位置又は両耳の位置より後頭部側にマスクのひも部分を掛ける複数のヒダを有するマスク係止具、又はマスクのひも部分を掛ける３つ以上の凸部を有する形状をなしているマスク係止具を備えるマスク係止具付きキャップを提供する。
【考案の効果】
【０００８】
本考案によれば、本実施形態のマスク係止具付きキャップはより少ない工数によって安価に製造でき、使用後はウエスとしてそのまま使用することが可能であるという効果がある。
【考案を実施するための最良の形態】
【０００９】
以下、本考案によるマスク係止具付きキャップの一実施の形態を、図面を用いて詳細に説明する。
【００１０】
＜実施形態の詳細＞
図１は、本実施形態のマスク係止具付きキャップの構成を示す概要図である。図１（ａ）に示すように、本実施形態のマスク係止具付きキャップ１００は、着用者の目より上の頭部と両耳を覆うキャップであって、両耳の位置又は両耳の位置より後頭部側に向かって配置されたマスクのひも部分を掛けるマスク係止具１０２を備える。
【００１１】
本実施形態のマスク係止具付きキャップ１００の着用者の目より上の頭部を覆う部分１０１ａは、例えば半球形をなす。余裕を持たせるために略円筒形や袋状をなしていてもよい。
【００１２】
本実施形態のマスク係止具付きキャップ１００の着用者の両耳を覆う部分１０１ｂは、例えば両耳を略覆うように構成される。両耳を覆う部分１０１ｂは、さらに首の後ろや方の一部まで覆うように大きめに構成することもできる。
【００１３】
図１（ｂ）は、本実施形態のマスク係止具付きキャップ１００を着用者が着用した状態を示した図である。図１（ｂ）に示すように、本実施形態のマスク係止具付きキャップ１００は、着用時に少なくとも着用者の両目が出るような開口部を有する。マスク１０３のひも部分は、マスク係止具１０２に掛けられる。
【００１４】
図２は、マスク係止具１０２の第１の例を示した図である。第１の例のマスク係止具１０２は、マスクのひも部分を掛ける複数のヒダ２０１を有する。
【００１５】
第１の例のマスク係止具１０２は、例えば横に長い帯状の部材をヒダ状に折り曲げてキャップに取り付けられる。取り付け方法は問わないが、糸によって縫い併せる場合には図２（ａ）の点線（一点鎖線は隠れた部分を示す）のようにヒダ以外の部分を縫いあわせる。
【００１６】
図２（ａ）には、一枚の横に長い帯状の部材を折り曲げてヒダを形成してあるが、正方形又は長方形の部材を複数枚ずらしてキャップに取り付けることにより、部材を折り曲げずに複数のヒダを形成することも可能である。複数のヒダは口側から後頭部側に並ぶように配置される。
【００１７】
マスクのひも部は、着用者がきついと感じた場合には口側のヒダ２０２ｃに掛けられ、ゆるいと感じたときは後頭部側のヒダ２０２ｂ又は２０３ａに掛けられる。このように、複数のヒダを設け、マスクのひも部を掛けるヒダを変えることにより、マスクのきつさを調節できる。
【００１８】
図２（ｂ）は、マスク係止具１０２の第１の例を図２（ａ）の矢印Ａの方向からみた図である。ヒダ１０２は、２つでも３つ以上でもよい。
【００１９】
次に、マスク係止具１０２の第２の例を説明する。第２の例のマスク係止具１０２は、マスクのひも部分を掛ける３つ以上の凸部を有する形状をなしている。
【００２０】
図３は、マスク係止具１０２の第２の例を示した図である。図3に示すように、マスク係止具１０２の第２の例は、着用者の目より上の頭部と両耳を覆うキャップの両耳の位置又は両耳の位置より後頭部側に設けられ、マスクのひも部分を掛ける３つ以上の凸部を有し、これらの凸部のうち少なくとも一つが上方向に設けられ、残りの凸部のうち少なくとも一つが下方向に設けられている形状をなす。
【００２１】
図３においては、凸部３０１ａ，３０１ｂ，３０１ｃは直線を含む形状をなしており、凸部は５個設けられている。凸部は口側から後頭部側に並ぶように設けられる。
【００２２】
ここで、マスク係止具１０２のマスクのひも部分を掛ける凸部について、さらに説明する。マスク係止具１０２に凸部を３つ設ける場合には、口側に上方向（目の方向）と下方向（あごの方向）にそれぞれ一つずつ凸部を設け、後頭部側に一つ凸部を設ける。マスク係止具１０２に凸部を４つ設ける場合には、口側に上方向と下方向にそれぞれ一つずつ凸部を設け、その後頭部側に上方向と下方向にそれぞれ一つずつ凸部を設ける。マスク係止具１０２に凸部を５つ設ける場合には、上述したように４つ凸部を設け、さらにその後頭部側に一つ凸部を設ける。各凸部の形状は、直線だけから形成されていても曲線を含んでいてもよい。
【００２３】
マスク係止具１０２の第２の例は、例えば３つ以上の凸部を有する平面状の部材を、マスクのひも部を掛ける余裕をとってキャップに取り付けられる。平面状の部材を糸によってキャップに縫いあわせる場合には、点線３０３に示すようにやや内側を縫いあわせる。
【００２４】
マスクのひも部は、着用者がきついと感じた場合には口側の一対の凸部３０１ａに掛けられ、ゆるいと感じたときは後頭部側の凸部３０１ｂ又は３０１ｃに掛けられる。このように、３つ以上の凸部を設け、マスクのひも部を掛ける凸部を変えることにより、マスクのきつさを調節できる。
【００２５】
図４は、マスクのひも部を掛ける凸部を３つ設けた例を示した図である。マスクのひも部は、着用者がきついと感じた場合には口側の凸部４０１ａに掛けられ、ゆるいと感じたときは後頭部側の凸部４０１ｂに掛けられる。点線４０３は糸によって凸部を有する平面状の部材をキャップに縫いあわせる場合の縫い位置を示す。
【００２６】
図５は、マスクのひも部を掛ける凸部を３つ設けた他の例を示した図である。図５に示すように、凸部５０１ａ，５０１ｂは曲線を用いて構成することもできる。マスクのひも部は、着用者がきついと感じた場合には口側の凸部５０１ａに掛けられ、ゆるいと感じたときは後頭部側の凸部５０１ｂに掛けられる。点線５０３は糸によって凸部を有する平面状の部材をキャップに縫いあわせる場合の縫い位置を示す。
【００２７】
図６は、マスク係止具１０２の第３の例を示した図である。図６に示すように、マスク係止具１０２の第３の例は、マスクのひも部分を掛ける２つ以上の突起部６０１ａ，６０１ｂを有し、この突起部のうち少なくとも一つが上方向に設けられ、この突起部のうち少なくとも一つが下方向に設けられている形状をなしている。
【００２８】
本実施形態のマスク係止具１０２の第３の例のマスク係止具６０１を有するキャップは、着用者の目より上の頭部と両耳を覆うキャップであって、本実施形態のマスク係止具１０２の第３の例のマスク係止具を両耳の位置又は両耳の位置から後頭部側に向かって複数備える。
【００２９】
本実施形態のマスク係止具１０２の第３の例のマスク係止具６０１は、例えば紙や布を円筒状に巻き、その略中央部を糸などにてキャップに取り付けられる。図６の点線６０２は縫いあわせる場合の縫い位置を示す。
【００３０】
図６に示すように、マスクのひも部は着用者がきついと感じた場合には口側の突起部６０１ａ，６０１ｂに掛けられ、ゆるいと感じたときは後頭部側の突起部６０１ｃ，６０１ｄに掛けられる。
【００３１】
次に、材質について説明する。本実施形態のマスク係止具付きキャップ１００の材質は、布又は紙であることが望ましい。
【００３２】
防塵用キャップを構成する場合は、材質は不織紙が望ましい。ヘルメットの下に着用する汗取り用キャップを構成する場合は、材質はタオル、又は吸湿性の布又は紙が望ましい。
【００３３】
マスク係止具１０２の材質は、キャップ１００と同様の材質を用いることができる。厚手の布を用いる場合は、キャンバス地のような撓みにくい生地を用いる。タオル地を用いる場合には薄手のタオル地を重ね合わせることにより、撓みにくい生地を作ることができる。紙を用いる場合には、撓みにくい紙か、複数枚重ね合わせて撓みにくくした紙を用いる。
【００３４】
ここで、マスク係止具１０２とキャップと同質の材質によって形成されるとは、マスク係止具１０２キャップがともに同じ用途、例えばともにウエスやともに防塵用として用いられる材質によって形成されることを意味する。
【００３５】
従って、マスク係止具１０２とキャップは、例えばマスク係止具１０２が紙によって形成され、キャップが布によって形成されていてもよく、またその逆であってもよい。マスク係止具１０２とキャップがいずれも布または紙によって形成されていてもよい。さらに、例えば、キャップが布と紙によって形成され、マスク係止具１０２が不織紙によって形成されていてもよい。
【００３６】
＜実施形態の効果＞
以上述べたように、本実施形態のマスク係止具付きキャップは、両耳の位置又は両耳の位置より後頭部側にマスクのひも部分を掛ける複数のヒダを有するマスク係止具、又はマスクのひも部分を掛ける３つ以上の凸部を有する形状をなしているマスク係止具を備える。マスク係止具は構造が簡単であり、キャップと同様の材質によって構成できる。このため、本実施形態のマスク係止具付きキャップはより少ない工数によって安価に製造でき、使用後はウエスとしてそのまま使用することが可能であるという効果がある。
【００３７】
＜本考案の具体化における可能性＞
なお、本考案は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の考案を形成できる。例えば、実施形態に示される全構成要素から幾つかの構成要素を削除してもよい。さらに、異なる実施形態にわたる構成要素を適宜組み合わせてもよい。
【産業上の利用可能性】
【００３８】
本考案は医療用の衛生服や宇宙服にも適用できる。
【図面の簡単な説明】
【００３９】
【図１】マスク係止具付きキャップの構成を示す概要図である。
【図２】マスク係止具の第１の例を示した図である。
【図３】マスク係止具の第２の例を示した図である。
【図４】マスクのひも部を掛ける凸部を３つ設けた例を示した図である。
【図５】マスクのひも部を掛ける凸部を３つ設けた他の例を示した図である。
【図６】マスク係止具の第３の例を示した図である。
【符号の説明】
【００４０】
１００：マスク係止具付きキャップ、
１０２：マスク係止具、
２０１：マスクのひも部分を掛けるヒダ。
【図１】
0003134527.tif 000003
【図２】
0003134527.tif 000004
【図３】
0003134527.tif 000005
【図４】
0003134527.tif 000006
【図５】
0003134527.tif 000007
【図６】
0003134527.tif 000008